(57)【特許請求の範囲】
【請求項１】
中間メンバーの後端部に移動側メンバー保持部材が着脱自在に設けられたシーケンシャル機能を有するスライドレールにおいて、移動側メンバー保持部材は、中間メンバーの基板の内面に沿った形状の取付基板と、取付基板の裏面側に突出し、中間メンバーのリテーナー後ストッパーを設けるときに形成される切起こし孔に嵌合する嵌合突部と、取付基板の上下端部側で、中間メンバーのボール摺動溝に外面側が圧接する前後方向に円柱状の嵌合圧接部と、嵌合圧接部の後端部側で、後方に突出しながら互いに近づく方向に傾斜し、移動側メンバーが中間メンバーに収納された状態で、移動側メンバーの上下折曲縁の摺動面に弾性的に圧接する弾性保持脚と、弾性保持脚の後端部側で上下方向に突出し、弾性保持脚に移動側メンバーの後端部が保持された状態で、中間メンバーの上下折曲縁の後端面を覆い隠す衝突緩衝部が合成樹脂材にて一体に成型されている事を特徴とするスライドレール。
【請求項２】
嵌合圧接部と弾性保持脚間の外面側に弾性補助凹部が形成されている事を特徴とする請求項１に記載のスライドレール。
【発明の詳細な説明】
【技術分野】
【０００１】
本発明は、固定側メンバー（アウターメンバー）と、固定側メンバーに摺動自在に保持された中間メンバーと、中間メンバーに摺動自在に保持された移動側メンバー（インナーメンバー）より構成され、固定側メンバーに対し中間メンバーが完全に収納され、中間メンバーに対し移動側メンバーが完全に収納された状態（最小短縮状態）から、移動側メンバーと連結された機器類を前方に引き出すと、まず、中間メンバーが移動側メンバーを収納した状態で、固定側メンバーに対し前方に摺動して完全に引き出された状態で停止し、次に、中間メンバーに対し移動側メンバーが前方に摺動して最も引き出された状態（最大伸長状態）となる。一方、スライドレールの最大伸長状態から、移動側メンバーを収納していくと、中間メンバーは移動側メンバーを収納しきるまで停止して状態で固定側メンバーに保持され、移動側メンバーを収納した状態で、中間メンバーは固定側メンバーに収納されてスライドレールが最小短縮状態となる、いわゆる、シーケンシャル機能を有するスライドレールに関するものである。
【背景技術】
【０００２】
従来、上記機能を有するスライドレールとして、中間メンバーの内面摺動凹溝と、移動側メンバーのボール摺動凹溝間に位置する横振れ規制部と、横振れ規制部の後方に連設された、上下方向に適度な弾性を有する弾性脚部と、弾性脚部の後端部に連設され、移動側メンバーが中間メンバーに完全に収納された状態を保持する保持突部よりなる移動側メンバー保持部を有する合成樹脂製の移動側メンバー保持部材を中間メンバーの後端部に設ける一方、移動側メンバー保持部材に対応して、中間メンバーの基板に取付孔を形成し、前記保持突部に対応して、移動側メンバーのボール摺動凹溝の後端部に支持凹部を形成したものが提供されている。（例えば特許文献１参照。）
【０００３】
この場合、中間メンバーに取付孔を形成し、移動側メンバーに支持凹部を形成する必要があるので、シーケンシャル機能を有するスライドレールとして当初から製作する必要があり、スライドレールの基本構造が多様となり、生産効率、在庫管理等の面で好ましくなかった。
また、上記スライドレールは、最短縮小状態での横振れの防止機能も合わせ持つが、最短縮小状態となった時の、固定側メンバーと中間メンバー間の消音緩衝機能は有していなかった。
【０００４】
【特許文献１】特開２００２−３４６８９号公報
【発明の開示】
【発明が解決しようとする課題】
【０００５】
本発明は、上記問題に鑑み、共通の基本構造を有することで、生産効率を向上させ、在庫管理も容易で、
結果として安価に製作できる、シーケンシャル機能と、消音緩衝機能を有するスライドレールを提供することを課題とする。
【課題を解決するための手段】
【０００６】
上記課題を解決する為、本発明が手段とする第１の特徴は、中間メンバーの後端部に移動側メンバー保持部材が着脱自在に設けられたシーケンシャル機能を有するスライドレールにおいて、移動側メンバー保持部材は、中間メンバーの基板の内面に沿った形状の取付基板と、取付基板の裏面側に突出し、中間メンバーのリテーナー後ストッパーを設けるときに形成される切起こし孔に嵌合する嵌合突部と、取付基板の上下端部側で、中間メンバーのボール摺動溝に外面側が圧接する前後方向に円柱状の嵌合圧接部と、嵌合圧接部の後端部側で、後方に突出しながら互いに近づく方向に傾斜し、移動側メンバーが中間メンバーに収納された状態で、移動側メンバーの上下折曲縁の摺動面に弾性的に圧接する弾性保持脚と、弾性保持脚の後端部側で上下方向に突出し、弾性保持脚に移動側メンバーの後端部が保持された状態で、中間メンバーの上下折曲縁の後端面を覆い隠す衝突緩衝部が合成樹脂材にて一体に成型されているものである。
【０００７】
次に、上記課題を解決するため本発明が手段とする第２の特徴は、上記第１の特徴に加え、嵌合圧接部と弾性保持脚間の外面側に弾性補助凹部が形成されているものである。
【発明の効果】
【０００８】
請求項１に記載の発明によると、弾性保持脚の後端部側で上下方向に突出し、弾性保持脚に移動側メンバーの後端部が保持された状態で、中間メンバーの上下折曲縁の後端面を覆い隠す衝突緩衝部が合成樹脂材にて一体に形成されているので、スライドレールが最短縮小状態となったとき、中間メンバーの後端面と固定側メンバーの収納時ストッパー間に衝突緩衝部が介在するので、従来のように金属の衝突音が発生しない。
又、中間メンバーのリテーナー後ストッパーを設けるときに形成される切起こし孔に嵌合する嵌合突部を取付基板の裏面側に突出して一体に形成しているので、中間メンバーに移動側メンバー保持部材を取付けるための取付孔を形成しておく必要がないので、シーケンシャル機能を有するスライドレールとして当初から製作する必要がなく、スライドレールの基本構造を同じにすることで、生産効率を向上させ、在庫管理等も容易となり、使用中のスライドレールであっても、移動側メンバー保持部材を取付けるだけで、シーケンシャル機能付きのスライドレールとすることができる。
【０００９】
請求項２に記載の発明によると、請求項１に記載の発明の効果に加え、嵌合圧接部と弾性保持脚間の外面側に弾性補助凹部が形成されているので、スライドレールの品質を低下させることがなく、耐久性にすぐれ、所定の保持力を得ることができ、又、加工精度の誤差によって生じる上下の摺動面間の寸法の微妙な違いを吸収することもできる。
【発明を実施するための最良の形態】
【００１０】
中間メンバーの後端部に移動側メンバー保持部材が着脱自在に設けられたシーケンシャル機能を有するスライドレールにおいて、移動側メンバー保持部材は、中間メンバーの基板の内面に沿った形状の取付基板と、取付基板の裏面側に突出し、中間メンバーのリテーナー後ストッパーを設けるときに形成される切起こし孔に嵌合する嵌合突部と、取付基板の上下端部側で、中間メンバーのボール摺動溝に外面側が圧接する前後方向に円柱状の嵌合圧接部と、嵌合圧接部の後端部側で、後方に突出しながら互いに近づく方向に傾斜し、移動側メンバーが中間メンバーに収納された状態で、移動側メンバーの上下折曲縁の摺動面に弾性的に圧接する弾性保持脚と、弾性保持脚の後端部側で上下方向に突出し、弾性保持脚に移動側メンバーの後端部が保持された状態で、中間メンバーの上下折曲縁の後端面を覆い隠す衝突緩衝部が合成樹脂材にて一体に成型され、嵌合圧接部と弾性保持脚間の外面側に弾性補助凹部が形成されているものである。
【実施例】
【００１１】
以下、本発明を添付図面に基づいて説明する。
図１〜図３において、符号１００はスライドレールを示し、スライドレール１００は、固定側メンバー１と、外側ボールリテーナー１２に回転自在に保持されたボール１３・・・を介して固定側メンバー１に摺動自在に保持された移動側支持メンバー（以下中間メンバーと云う。）２と、内側ボールリテーナー４に回転自在に保持されたボール４４・・・を介して中間メンバー２に摺動自在に保持された移動側メンバー３より構成されている
【００１２】
すなわち、固定側メンバー１は、基板１０と、上下折曲縁１１、１１よりチャンネル型に形成され、上下折曲縁１１、１１内面と中間メンバー２の外面間に位置する複数個のボール１３・・・を介して、中間メンバー２を摺動自在に保持している。複数個のボール１３・・・は、固定側メンバー１のほぼ半分程度の長さとなした略Ｃ字形の外側ボールリテーナー１２・・・に回転自在に保持されている。
そして、固定側メンバー１の基板１０の後端部には、中間メンバー２の収納時ストッパー１５が形成され、基板１０の前端部には前記外側ボールリテーナー１２の引出し方向への移動範囲を規制するリテーナー前ストッパー（図示せず。）が形成され、基板１０の中間部には中間メンバー２の方向に突出するストッパー部１９が形成されている。
【００１３】
中間メンバー２は、固定側メンバー１とほぼ同長で、基板２０と上下折曲縁２１、２１より固定側メンバー１と同方向の略チャンネル型に形成され、上下折曲縁２１、２１の外面に、摺動方向に渡って前記ボール１３・・・が転動する外面側ボール摺動溝２２、２２を有し、上下折曲縁２１、２１の内面に、摺動方向に渡ってボール４４・・・が転動するボール摺動溝２３、２３を有している。
【００１４】
そして、基板２０の後端部には、中間メンバー２の最大引出し時に、前記固定側メンバー１のリテーナー前ストッパー（図示せず。）に前端部が当接したリテーナー１２の後端部に当接して、中間メンバー２の最大引出し量を規制するリテーナー後ストッパー２５、２５（図８に示す。）が形成され、移動側メンバー３が中間メンバー２に収納された時、ボールリテーナー４の後端部が当接するボールリテーナー後端ストッパー（図示せず。）が基板２０の後部所定位置に移動側メンバー３方向に突出して形成されている。
【００１５】
リテーナー後ストッパー２５、２５は、図８に示すように、基板２０の上下所定箇所を固定側メンバー１方向に切り起こして上下に所間隔を有して形成され、リテーナー後ストッパー２５、２５間に生じる切起こし孔を後記する移動側メンバー保持部材７が嵌入する嵌合孔７０としている。
【００１６】
そして、前記固定側メンバー１のストッパー部１９に対応して、固定側メンバー１対して中間メンバー２が最大伸長状態で、移動側メンバー３が中間メンバー２に対し若干でも前方に摺動した時、ストッパー部１９の前側に係合し、中間メンバー２の固定側メンバー１に対する収納方向への摺動を阻止するロック部材９が、基板２０の後端部に回動自在で、後端縁が外方に突出して設けられている。
【００１７】
さらに、ロック部材９の回動を妨げない位置で、基板２０からボール摺動溝２３、２３の後端部にまたがってインナーメンバー保持部材７が取付けられ、基板２０前端部には、移動側メンバー３が最大伸長状態となった時、移動側メンバー３に設けられた着脱レバー（図示せず。）に係合するストッパー突片（図示せず。）が形成されている。
尚、ロック部材９は、常にストッパー部１９に係合する方向に付勢され、移動側メンバー３の上下折曲縁３１、３１の後端部が収納方向へ移動する事によって回動し、係合状態が解除される。
【００１８】
移動側メンバー３は、固定側メンバー１とほぼ同長に形成され、内側ボールリテーナー４に保持されたボール４４・・・を介して摺動自在な大きさで、金属製の細条板の短手両端部を外向き円弧状に折り曲げて形成された、外面長手方向にボール４４・・の摺動面３３、３３を有する上下折曲縁３１、３１と基板３０より断面略Ｃ字型に形成され、後端部がやや先細り状とり、中間メンバー２の完全に収納されたとき、中間メンバー２の基板２０の前端面に当接する移動側メンバー前端ストッパー３５が基板３０の前端部に形成されている。
【００１９】
移動側メンバー保持部材７は、中間メンバー２の基板２０の内面に沿った形状の取付基板７１と、取付基板７１の上下端部側で、中間メンバー２のボール摺動溝２３、２３に外面側が圧接する前後方向に円柱状の嵌合圧接部７２、７２と、嵌合圧接部７２、７２の後端部側で、後方に突出しながら互いに近づく方向に傾斜し、移動側メンバー３が中間メンバー２に完全に収納された状態で、移動側メンバー３の上下折曲縁３１、３１の摺動面３３、３３に弾性的に圧接する弾性保持脚７３、７３と、弾性保持脚７３、７３の後端部側で上下方向に突出し、弾性保持脚７３、７３に移動側メンバー３の後端部が保持された状態で、中間メンバー２の上下折曲縁２１、２１の後端面を覆い隠す衝突緩衝部７４、７４と、衝突緩衝部７４、７４の上下端部に前方に突出して連設され、移動側メンバー３の後端部が弾性保持脚７３、７３間から引き出された状態で、中間メンバー２の上下折曲縁２１、２１の外面側ボール摺動溝２２、２２の後端部外面に当接する位置決め用突部７５、７５と、中間メンバー２のリテーナー後ストッパー２５、２５を設けるときに形成される切起こし孔（嵌合孔７０）と高さ方向にやや小さ目で、前後方向にほぼ同幅となし、取付基板７１の裏面側に突出して嵌合孔７０に嵌合する嵌合突部７６が、合成樹脂材にて一体に成型されている。
【００２０】
尚、弾性補助脚７３、７３が、移動側メンバー３の摺動面３３に弾性的に圧接して所望の効果を得るには、摺動面３３と弾性補助脚７３間に所定の摩擦力を発生させる必要がある。そして、この摩擦力は、弾性補助脚７３と摺動面３３との接触面積、弾性補助脚７３の弾性力に影響される。
しかしながら、接触面積を大きくするため弾性補助脚を太くすると必然的に弾性力が強くなる。すると、移動側メンバー３の摺動が弾性補助脚７３、７３で円滑でなくなり、スライドレール１００としての品質に影響を及ぼすこととなる。
【００２１】
又、弾性補助脚７３、７３は、後方に突出しながら互いに近づく方向に傾斜しているので、移動側メンバー３の摺動に伴う弾性補助脚７３、７３の弾性変移箇所は、常に弾性補助脚７３と嵌合圧接部７２の連設部分となり、移動側メンバー３の摺動に伴って、弾性補助脚７３、７３間が広げられることにより、この部分に繰返し応力が発生し耐久性が低下することとなる。
したがって、スライドレール１００の品質を低下させることがなく、耐久性にすぐれ、所定の保持力を得る必要があることと、加工精度の誤差によって生じる上下の摺動面３３、３３間の寸法の微妙な違いを吸収することを目的とし、嵌合圧接部７２、７２と弾性保持脚７３、７３間の外面側に弾性補助凹部７７、７７が形成されている。
【００２２】
そして、移動側メンバー保持部材７は、中間メンバー２に取付けられた状態で、嵌合圧接部７２、７２がボール摺動溝２３、２３に圧接し、取付基板７１が中間メンバー２の基板２０に沿った形状となっているので上下方向に移動することはなく、切起こし孔（嵌合孔７０）と前後方向にほぼ同幅となした嵌合突部７６が切起こし孔（嵌合孔７０）に嵌合されているので、前後方向に移動することはなく、移動側メンバー保持部材７は中間メンバー２に強固に取付けられる。
【００２３】
本発明は上記の如く構成され、次のように作用する。
固定側メンバー１に中間メンバー２が収納され、中間メンバー２に移動側メンバー３が収納された状態（機器類、引出し等が収納された状態、図１、図７に示す。）で移動側メンバー３が前方に引きだされると、移動側メンバー保持部７の弾性保持脚７３、７３が、移動側メンバー３の摺動面３３、３３に弾性的に圧接しているので、移動側メンバー３は中間メンバー２に保持されながら、中間メンバー２と共に前方に摺動する。
【００２４】
そして、中間メンバー２のリテーナー後ストッパー２５、２５が外側ボールリテーナー１２の後端に当接し、同時に、ボールリテーナー１２の前端部が固定側メンバー１のリテーナー前ストッパーに当接して、固定側ーメンバー１に対して中間メンバー２の摺動は停止する。
（図６に示す状態。）この状態で、ロック部材９の後端縁はストッパー部１９の前側の位置している。
【００２５】
更に、移動側メンバー３が引き出されると、移動側メンバー保持部７の弾性保持脚７３、７３の弾性圧接力に抗して、移動側メンバー３は中間メンバー２に対し前方に摺動し、上下折曲縁３１、３１の後端縁がロック部材９の前方に位置すると、ロック部材９は弾性力によって回動し、後端縁がストッパー部１９の前側に係合し、中間メンバー２の固定側メンバー１に対する収納方向への摺動が阻止される。（図５に示す状態。）
【００２６】
次に、移動側メンバー３がさらに前方に摺動すると、中間メンバー２の前端部に形成されたストッパー突片に移動側メンバー３に設けられた着脱レバーが係合し、中間メンバー２に対し、移動側メンバー３が最大伸長状態となる。すなわち、スライドレール１００は最大伸長状態となる。
この状態から、着脱レバーが操作されて、移動側メンバー３は摺動可能状態となり、移動中間メンバー２から抜き出されるか、あるいは、移動側メンバー３が収納される。
【００２７】
スライドレール１００の最大伸長状態から移動側メンバー３が収納される場合、移動側メンバー３（機器類、引出し等を収納）を収納していくと、やがて、移動側メンバー３の摺動面３３、３３の後端が、弾性保持脚７３、７３を押し広げるようにして、弾性保持脚７３、７３を摺動面３３、３３に圧接させながら後方に移動し、移動側メンバー３の上折曲縁３１の後端が弾性保持脚７３、７３の後縁より後方にやや突出した状態で、ストッパー部１９に係合しているロック部材９の上端に当接し（この状態になるまで、中間メンバー２はロック部材９が固定側メンバー１のストッパー部１９の前側に係合しているので、収納方向に摺動する事はない。）、さらに移動側メンバー３が後方に移動して、ロック部材９を回動させて、ストッパー部１９との係合状態を解除する。（図６に示す状態。）
【００２８】
上記の状態で、移動側メンバー保持部材７の弾性保持脚７３、７３は、移動側メンバー３によって押し広げられて、衝突緩衝部７４、７４は、中間メンバー２の上下折曲縁２１、２１の後端面を覆い隠している。
そして、移動側メンバー３は、中間メンバー２と共に収納方向に移動し、やがて、衝突緩衝部７４、７４が固定側メンバー１の収納時ストッパー１５、１５に当接し、中間メンバー２の収納方向への摺動は停止し、中間メンバー２が停止した状態で、移動側メンバー３はやや収納方向に移動し、移動側メンバー３の前端部に設けられた移動側メンバー前端ストッパー３５が中間メンバー２の基板２０の前端面に当接して停止し、スライドレール１００は最小短縮状態となる。（図７に示す状態。）
【図面の簡単な説明】
【００２９】
【図１】本発明のスライドレールの最短縮小状態の斜視図
【図２】本発明のスライドレールの最大伸長状態の斜視図
【図３】スライドレールの基本構造を示す要部拡大断面図
【図４】移動側メンバー保持部材の斜視図
【図５】ストッパー部とロック部材の係合状態を示す要部断面図
【図６】ロック部材が回動した状態を示す要部断面図
【図７】中間メンバーに移動側メンバーが完全に収納された状態を示す要部断面図
【図８】図７のＡ−Ａ線拡大断面図
【符号の説明】
【００３０】
１              固定側メンバー
１００          スライドレール
２      
中間メンバー
２０            基板
３              移動側メンバー
３１、３１      上下折曲縁
３３、３３      摺動面
７              移動側メンバー保持部材
７０            嵌合孔
７１            取付基板
７２、７２      嵌合圧接部
７３、７３      弾性保持脚
７４、７４      衝突緩衝部
７６            嵌合突部
７７、７７      弾性補助凹部
【図１】
0005280732.tif 000002
【図２】
0005280732.tif 000003
【図３】
0005280732.tif 000004
【図４】
0005280732.tif 000005
【図５】
0005280732.tif 000006
【図６】
0005280732.tif 000007
【図７】
0005280732.tif 000008
【図８】
0005280732.tif 000009